(57)【要約】      （修正有）【課題】二次元バーコードを合成した画像または動画を利用してウェブサイトへアクセスさせること。【解決手段】情報提供装置は、提供者端末で指定された画像または動画に対して、少なくとも１つのウェブサイトへのアクセス用情報を生成するアクセス用情報生成手段と、アクセス用情報生成手段によって生成されたアクセス用情報を二次元バーコードに変換する変換手段と、画像または動画内に、変換手段によって変換された二次元バーコードを配置して合成し表示用データを生成する表示用データ生成手段とを備える。閲覧者端末は、表示部材に表示された表示用データを読み取る読取手段と、読み取られた表示用データ内から二次元バーコードを識別し、二次元バーコードに基づいてアクセス用情報を特定するアクセス用情報特定手段と、アクセス用情報特定手段によって特定されたアクセス用情報に基づいて、ウェブサイトへアクセスするアクセス手段とを備える。【選択図】図１
2018181125.tif 000002
【特許請求の範囲】
【請求項１】
画像または動画に対して、少なくとも１つのウェブサイトへのアクセス用情報を生成するアクセス用情報生成手段と、
前記アクセス用情報生成によって生成された前記アクセス用情報を二次元バーコードに変換する変換手段と、
前記画像または動画内に、前記変換手段によって変換された前記二次元バーコードを配置して合成することにより、表示用データを生成する表示用データ生成手段と、
前記表示用データ生成手段によって生成された前記表示用データを読み取る読取手段と、
前記読取手段によって読み取られた前記表示用データ内から前記二次元バーコードを識別し、前記二次元バーコードに基づいて前記アクセス用情報を特定するアクセス用情報特定手段と、
前記アクセス用情報特定手段によって特定された前記アクセス用情報に基づいて、前記ウェブサイトへアクセスするアクセス手段とを備えることを特徴とする情報提供システム。
【請求項２】
請求項１に記載の情報提供システムにおいて、
前記表示用データ生成手段によって生成された前記表示用データを表示部材に表示する表示用データ表示手段をさらに備え、
前記読取手段は、前記表示部材に表示された前記表示用データのスクリーンショットを取得することにより、前記表示用データを読み取ることを特徴とする情報提供システム。
【請求項３】
請求項１または２に記載の情報提供システムにおいて、
前記アクセス用情報は、前記画像または前記動画を識別するための識別情報を含み、
前記アクセス手段は、前記識別情報に関連付けて記録されているアクセス先ウェブサイトを特定して、特定したアクセス先ウェブサイトへアクセスすることを特徴とする情報提供システム。
【請求項４】
請求項３に記載の情報提供システムにおいて、
前記識別情報に関連付けて記録されているアクセス先ウェブサイトの変更を受け付けて、前記識別情報に関連付けて記録されているアクセス先ウェブサイトを更新する更新手段をさらに備えることを特徴とする情報提供システム。
【請求項５】
請求項１〜４のいずれか一項に記載の情報提供システムにおいて、
前記表示用データ生成手段は、前記表示用データのサイズに合わせて、前記二次元バーコードのサイズを拡大または縮小することを特徴とする情報提供システム。
【請求項６】
情報の提供者が操作する提供者端末と、情報の閲覧者が操作する閲覧者端末と、前記提供者端末及び前記閲覧者端末と通信を行って処理を実行する情報提供装置とで構成される情報提供システムであって、
前記情報提供装置は、
前記提供者端末で指定された画像または動画に対して、少なくとも１つのウェブサイトへのアクセス用情報を生成するアクセス用情報生成手段と、
前記アクセス用情報生成手段によって生成された前記アクセス用情報を二次元バーコードに変換する変換手段と、
前記画像または動画内に、前記変換手段によって変換された前記二次元バーコードを配置して合成することにより、表示用データを生成する表示用データ生成手段とを備え、
前記閲覧者端末は、
表示部材に表示された前記表示用データを読み取る読取手段と、
前記読取手段によって読み取られた前記表示用データ内から前記二次元バーコードを識別し、前記二次元バーコードに基づいて前記アクセス用情報を特定するアクセス用情報特定手段と、
前記アクセス用情報特定手段によって特定された前記アクセス用情報に基づいて、前記ウェブサイトへアクセスするアクセス手段とを備えることを特徴とする情報提供システム。
【請求項７】
情報の提供者が操作する提供者端末と、情報の閲覧者が操作する閲覧者端末と、前記提供者端末及び前記閲覧者端末と通信を行って処理を実行する情報提供装置とで構成される情報提供システムであって、
前記情報提供装置は、
前記提供者端末で指定された動画に対して、少なくとも１つのウェブサイトへのアクセス用情報を生成するアクセス用情報生成手段と、
前記アクセス用情報生成手段によって生成された前記アクセス用情報を二次元バーコードに変換する変換手段とを備え、
前記提供者端末は、
前記情報提供装置から前記動画と前記二次元バーコードを取得して、前記動画内に、前記変換手段によって変換された前記二次元バーコードを配置して合成することにより、表示用データを生成する表示用データ生成手段を備え、
前記閲覧者端末は、
表示部材に表示された前記表示用データを読み取る読取手段と、
前記読取手段によって読み取られた前記表示用データ内から前記二次元バーコードを識別し、前記二次元バーコードに基づいて前記アクセス用情報を特定するアクセス用情報特定手段と、
前記アクセス用情報特定手段によって特定された前記アクセス用情報に基づいて、前記ウェブサイトへアクセスするアクセス手段とを備えることを特徴とする情報提供システム。
【請求項８】
請求項６または７に記載の情報提供システムにおいて、
前記読取手段は、前記表示部材に表示された前記表示用データのスクリーンショットを取得することにより、前記表示用データを読み取ることを特徴とする情報提供システム。
【請求項９】
請求項６〜８のいずれか一項に記載の情報提供システムにおいて、
前記アクセス用情報は、前記画像または前記動画を識別するための識別情報を含み、
前記情報提供装置の記憶媒体には、前記識別情報とアクセス先のウェブサイトを特定するための情報とを関連付けた関連付け情報が記録されており、
前記アクセス手段は、前記アクセス用情報特定手段によって特定された前記アクセス用情報を前記情報提供装置へ送信し、前記情報提供装置から前記アクセス用情報に関連付けられている前記アクセス先のウェブサイトを特定するための情報の通知を受けることにより、アクセス先ウェブサイトを特定して、特定したアクセス先ウェブサイトへアクセスすることを特徴とする情報提供システム。
【請求項１０】
請求項９に記載の情報提供システムにおいて、
前記情報提供装置は、
前記記憶媒体に記録されている関連付け情報に対して、前記アクセス先のウェブサイトを特定するための情報の変更を受け付ける変更受付手段と、
前記変更受付手段によって受け付けた変更後の情報で前記関連付け情報を更新する更新手段とをさらに備えることを特徴とする情報提供システム。
【請求項１１】
請求項６〜１０のいずれか一項に記載の情報提供システムにおいて、
前記表示用データ生成手段は、前記表示用データのサイズに合わせて、前記二次元バーコードのサイズを拡大または縮小することを特徴とする情報提供システム。
【発明の詳細な説明】
【技術分野】
【０００１】
本発明は、情報提供システムに関する。
【背景技術】
【０００２】
次のような商品情報提供システムが知られている。この商品情報提供システムでは、被写体を撮影した画像データから画像関連情報を抽出し、抽出した画像関連情報に基づいて、画像関連情報に一致又は近似する商品画像を特定して、諸運画像に対応するサイトＩＤや商品ＩＤを取得する（例えば、特許文献１）。
【先行技術文献】
【特許文献】
【０００３】
【特許文献１】特開２０１７−３３１５７号公報
【発明の概要】
【発明が解決しようとする課題】
【０００４】
従来の商品情報提供システムのように、画像内に関連情報を含めておき、関連情報に基づいて関連する商品が掲載されたサイトを表示させるシステムが存在している。しかしながら、従来の技術では、画像内にウェブサイトアクセス用の二次元バーコードを合成しておき、これを読み取った端末側で、二次元バーコードに基づいてウェブサイトへアクセスさせるための仕組みについては、何ら検討されていなかった。
【課題を解決するための手段】
【０００５】
本発明による情報提供システムは、画像または動画に対して、少なくとも１つのウェブサイトへのアクセス用情報を生成するアクセス用情報生成手段と、アクセス用情報生成によって生成されたアクセス用情報を二次元バーコードに変換する変換手段と、画像または動画内に、変換手段によって変換された二次元バーコードを配置して合成することにより、表示用データを生成する表示用データ生成手段と、表示用データ生成手段によって生成された表示用データを読み取る読取手段と、読取手段によって読み取られた表示用データ内から二次元バーコードを識別し、二次元バーコードに基づいてアクセス用情報を特定するアクセス用情報特定手段と、アクセス用情報特定手段によって特定されたアクセス用情報に基づいて、ウェブサイトへアクセスするアクセス手段とを備えることを特徴とする。
本発明による情報提供システムはまた、情報の提供者が操作する提供者端末と、情報の閲覧者が操作する閲覧者端末と、提供者端末及び閲覧者端末と通信を行って処理を実行する情報提供装置とで構成される情報提供システムであって、情報提供装置は、提供者端末で指定された画像または動画に対して、少なくとも１つのウェブサイトへのアクセス用情報を生成するアクセス用情報生成手段と、アクセス用情報生成手段によって生成されたアクセス用情報を二次元バーコードに変換する変換手段と、画像または動画内に、変換手段によって変換された二次元バーコードを配置して合成することにより、表示用データを生成する表示用データ生成手段とを備え、閲覧者端末は、表示部材に表示された表示用データを読み取る読取手段と、読取手段によって読み取られた表示用データ内から二次元バーコードを識別し、二次元バーコードに基づいて前記アクセス用情報を特定するアクセス用情報特定手段と、アクセス用情報特定手段によって特定されたアクセス用情報に基づいて、ウェブサイトへアクセスするアクセス手段とを備えることを特徴とする。
本発明による情報提供システムはまた、情報の提供者が操作する提供者端末と、情報の閲覧者が操作する閲覧者端末と、提供者端末及び閲覧者端末と通信を行って処理を実行する情報提供装置とで構成される情報提供システムであって、情報提供装置は、提供者端末で指定された動画に対して、少なくとも１つのウェブサイトへのアクセス用情報を生成するアクセス用情報生成手段と、アクセス用情報生成手段によって生成されたアクセス用情報を二次元バーコードに変換する変換手段とを備え、提供者端末は、情報提供装置から動画と二次元バーコードを取得して、動画内に、変換手段によって変換された二次元バーコードを配置して合成することにより、表示用データを生成する表示用データ生成手段を備え、閲覧者端末は、表示部材に表示された表示用データを読み取る読取手段と、読取手段によって読み取られた表示用データ内から二次元バーコードを識別し、二次元バーコードに基づいてアクセス用情報を特定するアクセス用情報特定手段と、アクセス用情報特定手段によって特定されたアクセス用情報に基づいて、ウェブサイトへアクセスするアクセス手段とを備えることを特徴とする。
【発明の効果】
【０００６】
本発明によれば、画像内にウェブサイトアクセス用の二次元バーコードを合成しておき、これを読み取った端末側で、二次元バーコードに基づいてウェブサイトへアクセスさせることができる。
【図面の簡単な説明】
【０００７】
【図１】情報提供システム１０の一実施の形態の構成を示すブロック図である。
【図２】情報提供装置１００の一実施の形態の構成を示すブロック図である。
【図３】提供者端末２００の一実施の形態の構成を示すブロック図である。
【図４】閲覧者端末３００の一実施の形態の構成を示すブロック図である。
【図５】表示用画像の一例を模式的に示した図である。
【図６】情報提供装置１００で実行される表示用画像記録処理の流れを示すフローチャート図である。
【図７】情報提供装置１００で実行されるＵＲＬ通知処理の流れを示すフローチャート図である。
【図８】閲覧者端末３００で実行される処理の流れを示すフローチャート図である。
【発明を実施するための形態】
【０００８】
図１は、本実施の形態における情報提供システム１０の一実施の形態の構成を示すブロック図である。情報提供システム１０は、情報提供装置１００と、提供者端末２００と、閲覧者端末３００で構成される。本実施の形態では、情報提供装置１００と提供者端末２００、および情報提供装置１００と閲覧者端末３００は、例えばインターネットや携帯電話網等の通信回線を介してそれぞれ接続される。なお、図１では、情報提供システム１０は、情報提供装置１００、提供者端末２００、閲覧者端末３００とがそれぞれ１台ずつで構成される例を示しているが情報提供システム１０の構成はこれに限定されない。
【０００９】
図２は、本実施の形態における情報提供装置１００としてサーバ装置を用いた場合の一実施の形態の構成を示すブロック図である。情報提供装置１００は、接続インターフェース１０１と、制御装置１０２と、記憶媒体１０３とを備えている。
【００１０】
接続インターフェース１０１は、情報提供装置１００をインターネット等の通信回線に接続するためのインターフェースであり、例えば、インターネットに有線で接続するための有線ＬＡＮモジュールや、インターネットに無線で接続するための無線ＬＡＮモジュールなどが用いられる。本実施の形態では、情報提供装置１００は、この接続インターフェース１０１を介して提供者端末２００や閲覧者端末３００と通信する。
【００１１】
制御装置１０２は、ＣＰＵ、メモリ、およびその他の周辺回路によって構成され、情報提供装置１００の全体を制御する。なお、制御装置１０２を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続インターフェース１０１を介して読み込まれたデータは、バッファメモリに一時的に記録される。
【００１２】
記憶媒体１０３は、情報提供装置１００が蓄える種々のデータや、制御装置１０２が実行するためのプログラムのデータ等を記録するための記憶媒体であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記憶媒体１０３に記録されるプログラムのデータは、ＣＤ−ＲＯＭやＤＶＤ−ＲＯＭなどの記録媒体に記録されて提供されたり、ネットワークを介して提供され、操作者が取得したプログラムのデータを記憶媒体１０３にインストールすることによって、制御装置１０２がプログラムを実行できるようになる。
【００１３】
提供者端末２００は、情報の提供者が操作する情報端末である。提供者端末２００としては、例えばスマートフォン、タブレット端末、パソコン等の端末が用いられる。
【００１４】
図３は、本実施の形態における提供者端末２００としてパソコンを用いた場合の一実施の形態の構成を示すブロック図である。本実施の形態では、パソコンに情報提供装置１００と通信を行って、以下に説明する処理を実行するための提供者端末用ソフトウェアがインストールされることにより、本実施の形態における提供者端末２００として動作する。なお、提供者端末用ソフトウェアのプログラムは、インターネットを介して接続されたサーバ上で公開されることにより提供され、ユーザがこれをダウンロードにより入手し、提供者端末２００にあらかじめインストールされているものとする。あるいは、提供者端末用ソフトウェアのプログラムは、ＣＤ−ＲＯＭやＤＶＤ−ＲＯＭ等の記録媒体に記録されて提供されるようにしてもよい。
【００１５】
提供者端末２００は、操作部材２０１と、接続インターフェース２０２と、制御装置２０３と、記憶媒体２０４と、表示装置２０５とを備えている。
【００１６】
操作部材２０１は、提供者端末２００の操作者によって操作される種々の装置、例えばキーボードやマウスを含む。
【００１７】
接続インターフェース２０２は、提供者端末２００を他の装置や端末等の外部機器と接続するためのインターフェースである。例えば、提供者端末２００は、ＬＡＮやインターネット等の通信回線に接続するためのインターフェースや、外部の記憶媒体を接続するためのインターフェースが含まれる。提供者端末２００は、この接続インターフェース２０２を介して情報提供装置１００と通信を行う。
【００１８】
制御装置２０３は、ＣＰＵ、メモリ、およびその他の周辺回路によって構成され、提供者端末２００の全体を制御する。なお、制御装置２０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続インターフェース２０２を介して読み込まれたデータは、バッファメモリに一時的に記録される。
【００１９】
記憶媒体２０４は、提供者端末２００が蓄える種々のデータや、制御装置２０３が実行するためのプログラムのデータ等を記録するための記憶媒体であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記憶媒体２０４に記録されるプログラムのデータは、ＣＤ−ＲＯＭやＤＶＤ−ＲＯＭなどの記録媒体に記録されて提供されたり、ネットワークを介して提供され、公開者が取得したプログラムのデータを記憶媒体２０４にインストールすることによって、制御装置２０３がプログラムを実行できるようになる。本実施の形態では、この記憶媒体２０４に、上述した提供者端末用ソフトウェアのプログラムが記録されている。
【００２０】
表示装置２０５は、例えば液晶モニタであって、制御装置２０３から出力される種々の表示用データが表示される。
【００２１】
閲覧者端末３００は、情報の閲覧者が操作する情報端末である。閲覧者端末３００としては、例えばスマートフォン、タブレット端末、パソコン等の情報端末が用いられる。
【００２２】
図４は、本実施の形態における閲覧者端末３００としてスマートフォンを用いた場合の一実施の形態の構成を示すブロック図である。本実施の形態では、スマートフォンに情報提供装置１００と通信を行って、以下に説明する処理を実行するための閲覧者端末用ソフトウェアがインストールされることにより、本実施の形態における閲覧者端末３００として動作する。なお、閲覧者端末用ソフトウェアのプログラムは、インターネットを介して接続されたサーバ上で公開されることにより提供され、ユーザがこれをダウンロードにより入手し、提供者端末２００にあらかじめインストールされているものとする。あるいは、閲覧者端末用ソフトウェアのプログラムは、ＣＤ−ＲＯＭやＤＶＤ−ＲＯＭ等の記録媒体に記録されて提供されるようにしてもよい。
【００２３】
閲覧者端末３００は、タッチパネル３０１と、通信モジュール３０２と、制御装置３０３とを備えている。
【００２４】
タッチパネル３０１は、液晶パネル等の表示装置とタッチパッドのような位置入力装置を組み合わせた電子部品であり、画面上の表示を押すことで機器を操作することができる入力装置である。例えば、閲覧者端末３００のユーザは、液晶パネル上に表示されたボタンやメニュー等の表示項目を指やタッチペンを用いてタッチまたはスライドさせることにより、閲覧者端末３００を操作することができる。タッチパネル３０１は、閲覧者によるタッチやスライドといった操作を検出して、その検出信号を制御装置３０３へ出力する。
【００２５】
通信モジュール３０２は、無線または有線により、ＬＡＮや携帯電話通信網を介してインターネットに接続するためのモジュールが用いられる。閲覧者端末３００は、この通信モジュール３０２を介して情報提供装置１００と通信を行う。
【００２６】
制御装置３０３は、ＣＰＵ、メモリ、およびその他の周辺回路によって構成され、閲覧者端末３００の全体を制御する。なお、制御装置３０３を構成するメモリは、例えばＳＤＲＡＭ等の揮発性のメモリやフラッシュメモリ等の不揮発性のメモリを含む。揮発性のメモリは、ＣＰＵがプログラム実行時にプログラムを展開するためのワークメモリや、データを一時的に記録するためのバッファメモリとして使用される。また、不揮発性のメモリには、閲覧者端末３００を動作させるためのファームウェアや種々のアプリケーションを動作させるためのソフトウェアのプログラムデータが記録される。本実施の形態では、この不揮発性のメモリに、上述した閲覧者端末用ソフトウェアのプログラムが記録されている。
【００２７】
本実施の形態における情報提供システム１０では、情報の提供を希望する提供者は、提供者端末２００を操作して、情報提供装置１００にアクセスし、情報提供装置１００により提供される管理画面上で、あらかじめ用意した画像に対して、少なくとも１つのウェブサイトへのアクセス用情報の関連付けを行う。本実施の形態では、例えば、提供者は、あらかじめ提供者端末２００や情報提供装置１００に記録されている画像の中から対象とする画像を選択して表示装置２０５に表示させた上で、該画像に関連するウェブサイトのＵＲＬを入力する。情報提供装置１００の制御装置１０２は、管理画面上で提供者によって画像が選択されてウェブサイトのＵＲＬが入力されると、選択された画像を一意に識別するための識別情報、例えば画像ＩＤを発行する。そして、制御装置１０２は、画像ＩＤを含んだ情報提供装置１００へのアクセス用情報を生成する。例えば、画像ＩＤが「ｎｎｎｎｎｎ」であり、情報提供装置１００へアクセスするためのＵＲＬが「ｈｔｔｐｓ：／／ａｂｃ．ｃｏ．ｊｐ」である場合には、アクセス用情報として、「ｈｔｔｐｓ：／／ａｂｃ．ｃｏ．ｊｐ／ｎｎｎｎｎｎ」を生成する。なお、上記に記載したアクセス用情報の例はあくまでも一例であり、これに限定されるものではない。
【００２８】
制御装置１０２は、画像ＩＤと提供者によって入力されたウェブサイトのＵＲＬを関連付けた関連付け情報を記憶媒体１０３に記録する。また、制御装置１０２は、生成したアクセス用情報を二次元バーコードに変換する。例えば、生成したアクセス用情報が「ｈｔｔｐｓ：／／ａｂｃ．ｃｏ．ｊｐ／ｎｎｎｎｎｎ」である場合には、制御装置１０２は、この情報を読み取り可能な二次元バーコードを生成する。なお、アクセス用情報を二次元バーコードに変換するための処理は、公知のため説明を省略する。
【００２９】
制御装置１０２は、生成した二次元バーコードを管理画面上で選択された画像内に配置して合成する。例えば、図５に示すように、管理画面上で選択された画像５ａ内の所定位置に、生成した二次元バーコード５ｂを配置して合成する。なお、画像５ａ内における二次元バーコード５ｂの配置位置は、あらかじめ設定されていてもよいし、提供者が管理画面上で指定できるようにしてもよい。
【００３０】
制御装置１０２は、二次元バーコードを合成した画像を表示用画像として記憶媒体１０３に記録する。これによって、表示用画像の公開準備が完了する。表示用画像の公開方法は特に限定されないが、例えば、制御装置１０２は、表示用画像を記憶媒体１０３に記録して、インターネットを介したアクセスを受け付けることにより表示用画像を公開するようにしてもよい。あるいは、提供者が表示用画像を提供者端末２００にダウンロードして、ウェブサイト上に貼り付けたり、ＳＮＳに投稿したり、第三者へ送信するなどすることにより表示用画像を公開してもよい。
【００３１】
情報の閲覧者は、閲覧者端末３００を操作して表示用画像を閲覧した際には、表示用画像に含まれる二次元バーコードに基づいて、表示用画像に関連付けられているＵＲＬにアクセスすることができる。本実施の形態では、閲覧者は、タッチパネル２０１に表示用画像を表示し、画面のスクリーンショットを取得することにより、二次元バーコードの読み取りを指示することができる。閲覧者端末３００の制御装置３０３は、表示用画像のスクリーンショットが取得されると、表示用画像内に配置されている二次元バーコードを識別し、二次元バーコードをアクセス用情報に変換することによってＵＲＬを特定して、情報提供装置１００へアクセスする。
【００３２】
上述したように、アクセス用情報は、情報提供装置１００へアクセスするためのＵＲＬと画像ＩＤとを含んでいるため、制御装置３０３は、アクセス用情報に基づいて情報提供装置２００にアクセスすることができる。
【００３３】
情報提供装置１００では、制御装置１０２は、閲覧者端末３００からアクセスがあった場合には、アクセス元で指定されたＵＲＬに含まれる画像ＩＤを特定する。そして、制御装置１０２は、記憶媒体１０３に記録されている関連付け情報を参照して、画像ＩＤに関連付けられているＵＲＬを特定する。制御装置１０２は、特定したＵＲＬを閲覧者端末３００へプッシュ通知する。
【００３４】
閲覧者端末３００では、制御装置３０３は、情報提供装置１００から通知されたＵＲＬにアクセスして、アクセス先のウェブサイトの情報をタッチパネル２０１に表示する。これによって、閲覧者は、表示用画像のスクリーンショットを撮るだけで、画像に関連するウェブサイトへアクセスすることができる。
【００３５】
図６は、本実施の形態における情報提供装置１００で実行される表示用画像記録処理の流れを示すフローチャートである。図６に示す処理は、上述したように、提供者端末２００からアクセスがあり、提供者端末２００上で管理画面が表示されると起動するプログラムとして、制御装置１０２によって実行される。
【００３６】
ステップＳ１０において、制御装置１０２は、管理画面上で、提供者によって画像が選択されたか否かを判断する。ステップＳ１０で否定判断した場合には、後述するステップＳ１００へ進む。これに対して、ステップＳ１０で肯定判断した場合には、ステップＳ２０へ進む。
【００３７】
ステップＳ２０では、制御装置１０２は、提供者によって選択された画像を管理画面上に表示して、ステップＳ３０へ進む。
【００３８】
ステップＳ３０では、制御装置１０２は、提供者によって、管理画面上で、画像に関連するウェブサイトのＵＲＬが入力されたか否かを判断する。ステップＳ３０で肯定判断した場合には、ステップＳ４０へ進む。
【００３９】
ステップＳ４０では、制御装置１０２は、上述したように、提供者によって選択された画像を一意に識別するための画像ＩＤを発行して、ステップＳ５０へ進む。
【００４０】
ステップＳ５０では、制御装置１０２は、上述したように、画像ＩＤを含んだ情報提供装置１００へのアクセス用情報を生成する。その後、ステップＳ６０へ進む。
【００４１】
ステップＳ６０では、制御装置１０２は、上述したように、画像ＩＤと提供者によって入力されたウェブサイトのＵＲＬを関連付けた関連付け情報を記憶媒体１０３に記録する。その後、ステップＳ７０へ進む。
【００４２】
ステップＳ７０では、制御装置１０２は、生成したアクセス用情報を二次元バーコードに変換する。その後、ステップＳ８０へ進む。
【００４３】
ステップＳ８０では、制御装置１０２は、図５に示したように、ステップＳ７０で生成した二次元バーコードを管理画面上で選択された画像内に配置して合成する。その後、ステップＳ９０へ進む。
【００４４】
ステップＳ９０では、二次元バーコードを合成した画像を表示用画像として記憶媒体１０３に記録する。その後、ステップＳ１００へ進む。
【００４５】
ステップＳ１００では、制御装置１０２は、提供者端末２００上で管理画面が閉じられるなどして、プログラムの終了が指示されたか否かを判断する。ステップＳ１００で否定判断した場合には、ステップＳ１０へ戻る。これに対して、ステップＳ１００で肯定判断した場合には、処理を終了する。
【００４６】
図７は、本実施の形態における情報提供装置１００で実行されるＵＲＬ通知処理の流れを示すフローチャートである。図７に示す処理は、上述したように、閲覧者端末１００から画像ＩＤを含んだＵＲＬを用いたアクセスがあったときに起動するプログラムとして、制御装置１０２によって実行される。
【００４７】
ステップＳ１１０において、制御装置１０２は、アクセスの際に閲覧者端末３００で指定されたＵＲＬに含まれる画像ＩＤを特定する。その後、ステップＳ１２０へ進む。
【００４８】
ステップＳ１２０では、制御装置１０２は、記憶媒体１０３に記録されている関連付け情報を参照して、ステップＳ１１０で特定した画像ＩＤに関連付けられているＵＲＬを特定する。その後、ステップＳ１３０へ進む。
【００４９】
ステップＳ１３０では、制御装置１０２は、ステップＳ１２０で特定したＵＲＬを閲覧者端末３００へ通知する。その後、処理を終了する。
【００５０】
図８は、本実施の形態における閲覧者端末３００で実行される処理の流れを示すフローチャートである。図８に示す処理は、上述したように、表示用画像が表示された画面のスクリーンが取得されると起動するプログラムとして、制御装置３０３によって実行される。
【００５１】
ステップＳ２１０において、制御装置３０３は、スクリーンショットがとられた表示用画像内に配置されている二次元バーコードを識別する。その後、ステップＳ２２０へ進む。
【００５２】
ステップＳ２２０では、制御装置３０３は、ステップＳ２１０で識別した二次元バーコードをアクセス用情報に変換する。
【００５３】
ステップＳ２３０では、制御装置３０３は、ステップＳ２２０で変換したアクセス用情報に基づいて、画像ＩＤを含んだＵＲＬを用いて情報提供装置１００へアクセスする。その後、ステップＳ２４０へ進む。
【００５４】
ステップＳ２４０では、制御装置３０３は、上述したように、情報提供装置１００からＵＲＬが通知されたか否かを判断する。ステップＳ２４０で肯定判断した場合には、ステップＳ２５０へ進む。
【００５５】
ステップＳ２５０では、制御装置３０３は、情報提供装置１００から通知されたＵＲＬアクセスして、アクセス先のウェブサイトの情報をタッチパネル２０１に表示する。その後、処理を終了する。
【００５６】
以上説明した本実施の形態によれば、以下のような作用効果を得ることができる。
（１）情報提供装置１００では、制御装置１０２は、画像に対して、少なくとも１つのウェブサイトへのアクセス用情報を生成し、生成したアクセス用情報を二次元バーコードに変換し、画像内に二次元バーコードを配置して合成することにより、表示用画像を生成するようにした。閲覧者端末３００では、制御装置３０３は、表示用画像を読み取って、表示用画像内から二次元バーコードを識別し、二次元バーコードに基づいてアクセス用情報を特定し、特定したアクセス用情報に基づいて、ウェブサイトへアクセスするようにした。これによって、画像内にウェブサイトアクセス用の二次元バーコードを合成しておき、これを読み取った閲覧者端末側で、二次元バーコードに基づいてウェブサイトへアクセスさせることができる。
【００５７】
（２）閲覧者端末３００の制御装置３０３は、タッチパネル３０１に表示された表示用画像のスクリーンショットを取得することにより、表示用画像を読み取るようにした。これによって、閲覧者は、表示用画像を印刷してからカメラで撮影する必要がなく、簡易な操作で表示用画像を読み取ることができる。
【００５８】
（３）アクセス用情報は、画像を識別するための識別情報、例えば画像ＩＤを含み、制御装置３０３は、情報提供装置１００から識別情報に関連付けて記録されているアクセス先ウェブサイトの通知を受けることにより、アクセス先ウェブサイトを特定して、特定したアクセス先ウェブサイトへアクセスするようにした。これによって、閲覧者端末３００では、情報提供装置１００の記憶媒体１０３に記録されている関連付け情報に基づいてＵＲＬの通知を受けることにより、提供者が想定したアクセス先ウェブサイトへ閲覧者を誘導することができる。
【００５９】
―変形例―
なお、上述した実施の形態の情報提供システム１０は、以下のように変形することもできる。
（１）上述した実施の形態では、情報提供装置１００の制御装置１０２は、図５に示したように、生成した二次元バーコードを管理画面上で選択された画像内に配置して合成する例について説明した。このとき、制御装置１０２は、画像に二次元バーコードを合成する際に、二次元バーコードのサイズを画像に合わせて拡大または縮小するようにしてもよい。例えば、二次元バーコードを合成する画像の長辺が６４０ピクセルになるように拡大または縮小したときに、画像内の二次元バーコードのサイズが元の二次元バーコードのサイズと同一となるように、二次元バーコードのサイズを拡大または縮小するなどすればよい。
【００６０】
（２）上述した実施の形態では、情報提供装置１００の制御装置１０２は、管理画面上で選択された画像に対してＵＲＬの入力を受け付け、画像ＩＤとＵＲＬとを関連付けた関連付け情報を記憶媒体１０３に記録する例について説明した。このとき、画像に関連付けるＵＲＬは、一つであってもよいし、複数であってもよい。例えば、提供者は、商品が写っている画像に対して、商品を販売するウェブサイトと、商品情報が掲載されているウェブサイトとを関連付けたいと考えた場合には、これら２つのウェブサイトのＵＲＬを管理画面上で入力すればよい。また、提供者は、サービスに関する被写体が写っている画像に対して、サービスを紹介するウェブサイトと、サービスの予約を受け付けるウェブサイトと、顧客に対する割引クーポンが掲載されているウェブサイトとを関連付けたいと考えた場合には、これら３つのウェブサイトのＵＲＬを管理画面上で入力すればよい。制御装置１０２は、１つの画像に対して複数のＵＲＬが入力された場合には、画像ＩＤと複数のＵＲＬとを関連付けた関連付け情報を記憶媒体１０３に記録すればよい。また、この場合は、閲覧者端末３００から画像ＩＤを含んだＵＲＬでアクセスがあったときに、画像ＩＤに関連付けられている複数のＵＲＬを閲覧者端末３００へ通知すればよい。閲覧者端末３００では、制御装置３０３は、通知されたＵＲＬに基づいて、複数のウェブサイトへアクセスし、それらをタッチパネル２０１上に表示すればよい。
【００６１】
（３）上述した実施の形態では、情報提供装置１００の制御装置１０２は、管理画面上で選択された画像に対してＵＲＬの入力を受け付け、画像ＩＤとＵＲＬとを関連付けた関連付け情報を記憶媒体１０３に記録する例について説明した。この場合、提供者は、管理画面上でＵＲＬを変更できるようにしてもよい。例えば、提供者は、管理画面上で画像ＩＤを指定することにより、該当する画像ＩＤの関連付け情報を閲覧することができ、画像ＩＤに関連付けられているＵＲＬを修正することができる。制御装置１０２は、ＵＲＬが修正された場合には、画像ＩＤに関連付けるＵＲＬを修正後のＵＲＬに変更して、関連付け情報を更新する。これによって、提供者は、画像に合成された二次元バーコードが読み取られたときに表示されるウェブサイトを適宜変更することができる。また、提供者は、ＵＲＬの変更だけでなく、画像ＩＤに関連付けるＵＲＬを追加できるようにしてもよい。
【００６２】
（４）上述した実施の形態では、情報の提供を希望する提供者は、管理画面上で画像を選択し、選択した画像に関連するウェブサイトのＵＲＬを入力するようにした。そして、情報提供装置１００の制御装置１０２は、提供者によって選択された画像を一意に識別するための画像ＩＤを発行するとともに、画像ＩＤと提供者によって入力されたウェブサイトのＵＲＬを関連付けた関連付け情報を記憶媒体１０３に記録するようにした。また、制御装置１０２は、画像ＩＤを含んだ情報提供装置１００へのアクセス用情報を生成し、これを二次元バーコードに変換して、画像内に配置して合成することにより、表示用データとして表示用画像が生成する例について説明した。しかしながら、画像だけではなく動画に対しても本発明を適用することができる。この場合、情報提供装置１００の制御装置１０２は、提供者によって選択された動画を一意に識別するための識別情報として動画ＩＤを発行するとともに、動画ＩＤと提供者によって入力されたウェブサイトのＵＲＬを関連付けた関連付け情報を記憶媒体１０３に記録すればよい。また、制御装置１０２は、動画ＩＤを含んだ情報提供装置１００へのアクセス用情報を生成し、これを二次元バーコードに変換して、動画内に配置して合成すればよい。このとき、例えば、制御装置１０２は、動画を構成する各フレーム画像内の所定位置に二次元バーコードを合成するようにすればよい。これによって、表示用データとして表示用動画を生成して、情報を提供することができる。また、制御装置１０２は、生成した二次元バーコードを所定倍率、例えば１．５倍に拡大してから動画に合成してもよい。このとき、動画が縦長形式の場合は、二次元バーコードを拡大しないようにしてもよい。
【００６３】
あるいは、制御装置１０２は、動画ＩＤを含んだ情報提供装置１００へのアクセス用情報を生成し、これを二次元バーコードに変換するのみで、動画への二次元バーコードの変換は、提供者端末２００で行うようにしてもよい。この場合、提供者端末２００の制御装置２０３は、情報提供装置１００から動画と二次元バーコードをダウンロードして、ダウンロードした動画内の所定位置に二次元バーコードを配置して合成すればよい。
【００６４】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００６５】
１０  情報提供システム
１００  情報提供装置
１０１  接続インターフェース
１０２  制御装置
１０３  記憶媒体
２００  提供者端末
２０１  操作部材
２０２  接続インターフェース
２０３  制御装置
２０４  記憶媒体
２０５  表示装置
３００  閲覧者端末
３０１  タッチパネル
３０２  通信モジュール
３０３  制御装置
【図１】
2018181125.tif 000003
【図２】
2018181125.tif 000004
【図３】
2018181125.tif 000005
【図４】
2018181125.tif 000006
【図５】
2018181125.tif 000007
【図６】
2018181125.tif 000008
【図７】
2018181125.tif 000009
【図８】
2018181125.tif 000010
【手続補正書】
【提出日】平成29年10月2日(2017.10.2)
【手続補正１】
【補正対象書類名】特許請求の範囲
【補正対象項目名】全文
【補正方法】変更
【補正の内容】
【特許請求の範囲】
【請求項１】
画像または動画に対して、少なくとも１つのウェブサイトへのアクセス用情報を生成するアクセス用情報生成手段と、
前記アクセス用情報生成手段によって生成された前記アクセス用情報を二次元バーコードに変換する変換手段と、
前記画像または動画内に、前記変換手段によって変換された前記二次元バーコードを配置して合成することにより、表示用データを生成する表示用データ生成手段と、
前記表示用データ生成手段によって生成された前記表示用データを読み取る読取手段と、
前記読取手段によって読み取られた前記表示用データ内から前記二次元バーコードを識別し、前記二次元バーコードに基づいて前記アクセス用情報を特定するアクセス用情報特定手段と、
前記アクセス用情報特定手段によって特定された前記アクセス用情報に基づいて、前記ウェブサイトへアクセスするアクセス手段とを備え、
前記アクセス用情報は、前記画像または前記動画を識別するための識別情報を含み、
前記識別情報とアクセス先ウェブサイトとを関連付けた関連付け情報が記憶媒体に記録されており、
前記アクセス手段は、前記アクセス用情報特定手段によって特定された前記アクセス用情報に基づいて前記識別情報を特定し、前記関連付け情報を参照して前記アクセス用情報特定手段によって特定された前記アクセス用情報に基づいて特定した前記識別情報に関連付けて記録されているアクセス先ウェブサイトを特定して、前記アクセス先ウェブサイトへアクセスすることを特徴とする情報提供システム。
【請求項２】
請求項１に記載の情報提供システムにおいて、
前記表示用データ生成手段によって生成された前記表示用データを表示部材に表示する表示用データ表示手段をさらに備え、
前記読取手段は、前記表示部材に表示された前記表示用データのスクリーンショットを取得することにより、前記表示用データを読み取ることを特徴とする情報提供システム。
【請求項３】
請求項１または２に記載の情報提供システムにおいて、
前記識別情報に関連付けて記録されているアクセス先ウェブサイトの変更を受け付けて、前記識別情報に関連付けて記録されているアクセス先ウェブサイトを更新する更新手段をさらに備えることを特徴とする情報提供システム。
【請求項４】
請求項１〜３のいずれか一項に記載の情報提供システムにおいて、
前記表示用データ生成手段は、前記表示用データのサイズに合わせて、前記二次元バーコードのサイズを拡大または縮小することを特徴とする情報提供システム。
【請求項５】
情報の提供者が操作する提供者端末と、情報の閲覧者が操作する閲覧者端末と、前記提供者端末及び前記閲覧者端末と通信を行って処理を実行する情報提供装置とで構成される情報提供システムであって、
前記情報提供装置は、
前記提供者端末で指定された画像または動画に対して、少なくとも１つのウェブサイトへのアクセス用情報を生成するアクセス用情報生成手段と、
前記アクセス用情報生成手段によって生成された前記アクセス用情報を二次元バーコードに変換する変換手段と、
前記画像または動画内に、前記変換手段によって変換された前記二次元バーコードを配置して合成することにより、表示用データを生成する表示用データ生成手段とを備え、
前記閲覧者端末は、
表示部材に表示された前記表示用データを読み取る読取手段と、
前記読取手段によって読み取られた前記表示用データ内から前記二次元バーコードを識別し、前記二次元バーコードに基づいて前記アクセス用情報を特定するアクセス用情報特定手段と、
前記アクセス用情報特定手段によって特定された前記アクセス用情報に基づいて、前記ウェブサイトへアクセスするアクセス手段とを備え、
前記アクセス用情報は、前記画像または前記動画を識別するための識別情報を含み、
前記情報提供装置の記憶媒体には、前記識別情報とアクセス先のウェブサイトを特定するための情報とを関連付けた関連付け情報が記録されており、
前記アクセス手段は、前記アクセス用情報特定手段によって特定された前記アクセス用情報を前記情報提供装置へ送信し、前記情報提供装置から前記アクセス用情報に含まれる前記識別情報に関連付けられている前記アクセス先のウェブサイトを特定するための情報の通知を受けることにより、アクセス先ウェブサイトを特定して、特定したアクセス先ウェブサイトへアクセスすることを特徴とする情報提供システム。
【請求項６】
情報の提供者が操作する提供者端末と、情報の閲覧者が操作する閲覧者端末と、前記提供者端末及び前記閲覧者端末と通信を行って処理を実行する情報提供装置とで構成される情報提供システムであって、
前記情報提供装置は、
前記提供者端末で指定された動画に対して、少なくとも１つのウェブサイトへのアクセス用情報を生成するアクセス用情報生成手段と、
前記アクセス用情報生成手段によって生成された前記アクセス用情報を二次元バーコードに変換する変換手段とを備え、
前記提供者端末は、
前記情報提供装置から前記動画と前記二次元バーコードを取得して、前記動画内に、前記変換手段によって変換された前記二次元バーコードを配置して合成することにより、表示用データを生成する表示用データ生成手段を備え、
前記閲覧者端末は、
表示部材に表示された前記表示用データを読み取る読取手段と、
前記読取手段によって読み取られた前記表示用データ内から前記二次元バーコードを識別し、前記二次元バーコードに基づいて前記アクセス用情報を特定するアクセス用情報特定手段と、
前記アクセス用情報特定手段によって特定された前記アクセス用情報に基づいて、前記ウェブサイトへアクセスするアクセス手段とを備え、
前記アクセス用情報は、前記画像または前記動画を識別するための識別情報を含み、
前記情報提供装置の記憶媒体には、前記識別情報とアクセス先のウェブサイトを特定するための情報とを関連付けた関連付け情報が記録されており、
前記アクセス手段は、前記アクセス用情報特定手段によって特定された前記アクセス用情報を前記情報提供装置へ送信し、前記情報提供装置から前記アクセス用情報に含まれる前記識別情報に関連付けられている前記アクセス先のウェブサイトを特定するための情報の通知を受けることにより、アクセス先ウェブサイトを特定して、特定したアクセス先ウェブサイトへアクセスすることを特徴とする情報提供システム。
【請求項７】
請求項５または６に記載の情報提供システムにおいて、
前記読取手段は、前記表示部材に表示された前記表示用データのスクリーンショットを取得することにより、前記表示用データを読み取ることを特徴とする情報提供システム。
【請求項８】
請求項５〜７のいずれか一項に記載の情報提供システムにおいて、
前記情報提供装置は、
前記記憶媒体に記録されている関連付け情報に対して、前記アクセス先のウェブサイトを特定するための情報の変更を受け付ける変更受付手段と、
前記変更受付手段によって受け付けた変更後の情報で前記関連付け情報を更新する更新手段とをさらに備えることを特徴とする情報提供システム。
【請求項９】
請求項５〜８のいずれか一項に記載の情報提供システムにおいて、
前記表示用データ生成手段は、前記表示用データのサイズに合わせて、前記二次元バーコードのサイズを拡大または縮小することを特徴とする情報提供システム。
【手続補正２】
【補正対象書類名】明細書
【補正対象項目名】０００５
【補正方法】変更
【補正の内容】
【０００５】
本発明による情報提供システムは、画像または動画に対して、少なくとも１つのウェブサイトへのアクセス用情報を生成するアクセス用情報生成手段と、アクセス用情報生成手段によって生成されたアクセス用情報を二次元バーコードに変換する変換手段と、画像または動画内に、変換手段によって変換された二次元バーコードを配置して合成することにより、表示用データを生成する表示用データ生成手段と、表示用データ生成手段によって生成された表示用データを読み取る読取手段と、読取手段によって読み取られた表示用データ内から二次元バーコードを識別し、二次元バーコードに基づいてアクセス用情報を特定するアクセス用情報特定手段と、アクセス用情報特定手段によって特定されたアクセス用情報に基づいて、ウェブサイトへアクセスするアクセス手段とを備え、アクセス用情報は、画像または動画を識別するための識別情報を含み、識別情報とアクセス先ウェブサイトとを関連付けた関連付け情報が記憶媒体に記録されており、アクセス手段は、アクセス用情報特定手段によって特定されたアクセス用情報に基づいて識別情報を特定し、関連付け情報を参照してアクセス用情報特定手段によって特定されたアクセス用情報に基づいて特定した識別情報に関連付けて記録されているアクセス先ウェブサイトを特定して、特定したアクセス先ウェブサイトへアクセスすることを特徴とする。
本発明による情報提供システムはまた、情報の提供者が操作する提供者端末と、情報の閲覧者が操作する閲覧者端末と、提供者端末及び閲覧者端末と通信を行って処理を実行する情報提供装置とで構成される情報提供システムであって、情報提供装置は、提供者端末で指定された画像または動画に対して、少なくとも１つのウェブサイトへのアクセス用情報を生成するアクセス用情報生成手段と、アクセス用情報生成手段によって生成されたアクセス用情報を二次元バーコードに変換する変換手段と、画像または動画内に、変換手段によって変換された二次元バーコードを配置して合成することにより、表示用データを生成する表示用データ生成手段とを備え、閲覧者端末は、表示部材に表示された表示用データを読み取る読取手段と、読取手段によって読み取られた表示用データ内から二次元バーコードを識別し、二次元バーコードに基づいて前記アクセス用情報を特定するアクセス用情報特定手段と、アクセス用情報特定手段によって特定されたアクセス用情報に基づいて、ウェブサイトへアクセスするアクセス手段とを備え、アクセス用情報は、画像または動画を識別するための識別情報を含み、情報提供装置の記憶媒体には、識別情報とアクセス先のウェブサイトを特定するための情報とを関連付けた関連付け情報が記録されており、アクセス手段は、アクセス用情報特定手段によって特定されたアクセス用情報を情報提供装置へ送信し、情報提供装置からアクセス用情報に含まれる識別情報に関連付けられているアクセス先のウェブサイトを特定するための情報の通知を受けることにより、アクセス先ウェブサイトを特定して、特定したアクセス先ウェブサイトへアクセスすることを特徴とする。
本発明による情報提供システムはまた、情報の提供者が操作する提供者端末と、情報の閲覧者が操作する閲覧者端末と、提供者端末及び閲覧者端末と通信を行って処理を実行する情報提供装置とで構成される情報提供システムであって、情報提供装置は、提供者端末で指定された動画に対して、少なくとも１つのウェブサイトへのアクセス用情報を生成するアクセス用情報生成手段と、アクセス用情報生成手段によって生成されたアクセス用情報を二次元バーコードに変換する変換手段とを備え、提供者端末は、情報提供装置から動画と二次元バーコードを取得して、動画内に、変換手段によって変換された二次元バーコードを配置して合成することにより、表示用データを生成する表示用データ生成手段を備え、閲覧者端末は、表示部材に表示された表示用データを読み取る読取手段と、読取手段によって読み取られた表示用データ内から二次元バーコードを識別し、二次元バーコードに基づいてアクセス用情報を特定するアクセス用情報特定手段と、アクセス用情報特定手段によって特定されたアクセス用情報に基づいて、ウェブサイトへアクセスするアクセス手段とを備え、アクセス用情報は、画像または動画を識別するための識別情報を含み、情報提供装置の記憶媒体には、識別情報とアクセス先のウェブサイトを特定するための情報とを関連付けた関連付け情報が記録されており、アクセス手段は、アクセス用情報特定手段によって特定されたアクセス用情報を情報提供装置へ送信し、情報提供装置からアクセス用情報に含まれる識別情報に関連付けられている前記アクセス先のウェブサイトを特定するための情報の通知を受けることにより、アクセス先ウェブサイトを特定して、特定したアクセス先ウェブサイトへアクセスすることを特徴とする。
【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
情報の提供者が操作する提供者端末と、情報の閲覧者が操作する閲覧者端末と、前記提供者端末及び前記閲覧者端末と通信を行って処理を実行する情報提供装置とで構成される情報提供システムであって、
前記情報提供装置は、
前記提供者端末で指定された画像または動画に対して、少なくとも１つのウェブサイトへのアクセス用情報を生成するアクセス用情報生成手段と、
前記アクセス用情報生成手段によって生成された前記アクセス用情報を二次元バーコードに変換する変換手段と、
前記画像または動画内に、前記変換手段によって変換された前記二次元バーコードを配置して合成することにより、表示用データを生成する表示用データ生成手段とを備え、
前記閲覧者端末は、
表示部材に表示された前記表示用データを読み取る読取手段と、
前記読取手段によって読み取られた前記表示用データ内から前記二次元バーコードを識別し、前記二次元バーコードに基づいて前記アクセス用情報を特定するアクセス用情報特定手段と、
前記アクセス用情報特定手段によって特定された前記アクセス用情報に基づいて、前記ウェブサイトへアクセスするアクセス手段とを備え、
前記アクセス用情報は、前記情報提供装置へアクセスするためのＵＲＬと、前記画像または前記動画を識別するための識別情報とを含み、
前記情報提供装置の記憶媒体には、前記識別情報とアクセス先のウェブサイトを特定するための情報とを関連付けた関連付け情報が記録されており、
前記アクセス手段は、前記アクセス用情報特定手段によって特定された前記アクセス用情報に含まれる前記情報提供装置へアクセスするためのＵＲＬを用いて前記情報提供装置へアクセスして、前記情報提供装置から前記アクセス用情報に含まれる前記識別情報に関連付けられている前記アクセス先のウェブサイトを特定するための情報の通知を受けることにより、アクセス先ウェブサイトを特定して、特定したアクセス先ウェブサイトへアクセスすることを特徴とする情報提供システム。
【請求項２】
情報の提供者が操作する提供者端末と、情報の閲覧者が操作する閲覧者端末と、前記提供者端末及び前記閲覧者端末と通信を行って処理を実行する情報提供装置とで構成される情報提供システムであって、
前記情報提供装置は、
前記提供者端末で指定された動画に対して、少なくとも１つのウェブサイトへのアクセス用情報を生成するアクセス用情報生成手段と、
前記アクセス用情報生成手段によって生成された前記アクセス用情報を二次元バーコードに変換する変換手段とを備え、
前記提供者端末は、
前記情報提供装置から前記動画と前記二次元バーコードを取得して、前記動画内に、前記変換手段によって変換された前記二次元バーコードを配置して合成することにより、表示用データを生成する表示用データ生成手段を備え、
前記閲覧者端末は、
表示部材に表示された前記表示用データを読み取る読取手段と、
前記読取手段によって読み取られた前記表示用データ内から前記二次元バーコードを識別し、前記二次元バーコードに基づいて前記アクセス用情報を特定するアクセス用情報特定手段と、
前記アクセス用情報特定手段によって特定された前記アクセス用情報に基づいて、前記ウェブサイトへアクセスするアクセス手段とを備え、
前記アクセス用情報は、前記情報提供装置へアクセスするためのＵＲＬと、前記動画を識別するための識別情報とを含み、
前記情報提供装置の記憶媒体には、前記識別情報とアクセス先のウェブサイトを特定するための情報とを関連付けた関連付け情報が記録されており、
前記アクセス手段は、前記アクセス用情報特定手段によって特定された前記アクセス用情報に含まれる前記情報提供装置へアクセスするためのＵＲＬを用いて前記情報提供装置へアクセスして、前記情報提供装置から前記アクセス用情報に含まれる前記識別情報に関連付けられている前記アクセス先のウェブサイトを特定するための情報の通知を受けることにより、アクセス先ウェブサイトを特定して、特定したアクセス先ウェブサイトへアクセスすることを特徴とする情報提供システム。
【請求項３】
請求項１または２に記載の情報提供システムにおいて、
前記読取手段は、前記表示部材に表示された前記表示用データのスクリーンショットを取得することにより、前記表示用データを読み取ることを特徴とする情報提供システム。
【請求項４】
請求項１〜３のいずれか一項に記載の情報提供システムにおいて、
前記情報提供装置は、
前記記憶媒体に記録されている関連付け情報に対して、前記アクセス先のウェブサイトを特定するための情報の変更を受け付ける変更受付手段と、
前記変更受付手段によって受け付けた変更後の情報で前記関連付け情報を更新する更新手段とをさらに備えることを特徴とする情報提供システム。
【請求項５】
請求項１〜４のいずれか一項に記載の情報提供システムにおいて、
前記表示用データ生成手段は、前記表示用データのサイズに合わせて、前記二次元バーコードのサイズを拡大または縮小することを特徴とする情報提供システム。
【手続補正２】
【補正対象書類名】明細書
【補正対象項目名】０００５
【補正方法】変更
【補正の内容】
【０００５】
本発明による情報提供システムは、情報の提供者が操作する提供者端末と、情報の閲覧者が操作する閲覧者端末と、提供者端末及び閲覧者端末と通信を行って処理を実行する情報提供装置とで構成される情報提供システムであって、情報提供装置は、提供者端末で指定された画像または動画に対して、少なくとも１つのウェブサイトへのアクセス用情報を生成するアクセス用情報生成手段と、アクセス用情報生成手段によって生成されたアクセス用情報を二次元バーコードに変換する変換手段と、画像または動画内に、変換手段によって変換された二次元バーコードを配置して合成することにより、表示用データを生成する表示用データ生成手段とを備え、閲覧者端末は、表示部材に表示された表示用データを読み取る読取手段と、読取手段によって読み取られた表示用データ内から二次元バーコードを識別し、二次元バーコードに基づいて前記アクセス用情報を特定するアクセス用情報特定手段と、アクセス用情報特定手段によって特定されたアクセス用情報に基づいて、ウェブサイトへアクセスするアクセス手段とを備え、アクセス用情報は、情報提供装置へアクセスするためのＵＲＬと、画像または動画を識別するための識別情報とを含み、情報提供装置の記憶媒体には、識別情報とアクセス先のウェブサイトを特定するための情報とを関連付けた関連付け情報が記録されており、アクセス手段は、アクセス用情報特定手段によって特定されたアクセス用情報に含まれる情報提供装置へアクセスするためのＵＲＬを用いて情報提供装置へアクセスして、情報提供装置からアクセス用情報に含まれる識別情報に関連付けられているアクセス先のウェブサイトを特定するための情報の通知を受けることにより、アクセス先ウェブサイトを特定して、特定したアクセス先ウェブサイトへアクセスすることを特徴とする。
本発明による情報提供システムはまた、情報の提供者が操作する提供者端末と、情報の閲覧者が操作する閲覧者端末と、提供者端末及び閲覧者端末と通信を行って処理を実行する情報提供装置とで構成される情報提供システムであって、情報提供装置は、提供者端末で指定された動画に対して、少なくとも１つのウェブサイトへのアクセス用情報を生成するアクセス用情報生成手段と、アクセス用情報生成手段によって生成されたアクセス用情報を二次元バーコードに変換する変換手段とを備え、提供者端末は、情報提供装置から動画と二次元バーコードを取得して、動画内に、変換手段によって変換された二次元バーコードを配置して合成することにより、表示用データを生成する表示用データ生成手段を備え、閲覧者端末は、表示部材に表示された表示用データを読み取る読取手段と、読取手段によって読み取られた表示用データ内から二次元バーコードを識別し、二次元バーコードに基づいてアクセス用情報を特定するアクセス用情報特定手段と、アクセス用情報特定手段によって特定されたアクセス用情報に基づいて、ウェブサイトへアクセスするアクセス手段とを備え、アクセス用情報は、情報提供装置へアクセスするためのＵＲＬと、動画を識別するための識別情報とを含み、情報提供装置の記憶媒体には、識別情報とアクセス先のウェブサイトを特定するための情報とを関連付けた関連付け情報が記録されており、アクセス手段は、アクセス用情報特定手段によって特定されたアクセス用情報に含まれる情報提供装置へアクセスするためのＵＲＬを用いて情報提供装置へアクセスして、情報提供装置からアクセス用情報に含まれる識別情報に関連付けられている前記アクセス先のウェブサイトを特定するための情報の通知を受けることにより、アクセス先ウェブサイトを特定して、特定したアクセス先ウェブサイトへアクセスすることを特徴とする。